(57)【要約】【課題】無線端末へ、位置情報に基づいて、情報を提示すること。【解決手段】管理サーバに、ユーザの場所を表す第１のエリアから、該ユーザが移動する場所を表す第２のエリアへの移動履歴を格納する履歴格納部と、該履歴格納部に格納された移動履歴に基づいて、第１のエリアと第２のエリアとを対応付け、ユーザの場所を取得する手段により取得される第１のエリアから対応する第２のエリアを特定する特定部と、該ユーザに提示するために、前記特定部により特定された第２のエリアを通知する送信部とを有する。【選択図】図１８
2014060632.tif 000002
【特許請求の範囲】
【請求項１】
ユーザの場所を表す第１のエリアから、該ユーザが移動する場所を表す第２のエリアへの移動履歴を格納する履歴格納部と、
該履歴格納部に格納された移動履歴に基づいて、前記第１のエリアと前記第２のエリアとを対応付け、ユーザの場所を取得する手段により取得される第１のエリアから対応する第２のエリアを特定する特定部と、
該ユーザに提示するために、前記特定部により特定された第２のエリアを通知する送信部と
を有する、管理サーバ。
【請求項２】
前記特定部は、第１のエリアから移動するユーザ数の多いエリアの順に、第２のエリアを特定する、請求項１に記載の管理サーバ。
【請求項３】
前記履歴格納部は、ユーザの場所を表す第１の店から、該ユーザが移動する場所を表す第２の店への移動履歴を格納し、
前記特定部は、前記履歴格納部に格納された移動履歴に基づいて、前記第１の店と前記第２の店とを対応付け、ユーザの場所を取得する手段により取得される第１の店から対応する第２の店を特定する、請求項１又は２に記載の管理サーバ。
【請求項４】
ユーザの有する無線端末により、通信装置から該通信装置の位置情報が受信され、
前記無線端末から、前記管理サーバへ、該無線端末の識別子と、前記通信装置の位置情報が送信される、請求項１ないし３のいずれか１項に記載の管理サーバ。
【請求項５】
エリアと該エリアに関係する情報とを関連づけて格納するエリア情報格納部と、
該エリア情報格納部に格納された情報に基づいて、ユーザの有する無線端末から送信されるキーワードにより第３のエリアを特定する特定部と、
前記無線端末に提示するために、前記特定部により特定された第３のエリアを通知する送信部と
を有する、管理サーバ。
【請求項６】
前記エリア情報格納部は、店と該店に関係する情報とを関連づけて格納し、
前記特定部は、前記キーワードにより店を検索し、該検索により得られる店のうち、前記無線端末からの距離が所定の閾値未満の無線端末を特定する、請求項５に記載の管理サーバ。
【請求項７】
前記無線端末により、通信装置から該通信装置の位置情報が受信され、
前記無線端末から、該無線端末の識別子と、前記通信装置の位置情報と、キーワードが送信される、請求項５又は６に記載の管理サーバ。
【請求項８】
ユーザの場所を表す第１のエリアから、該ユーザが移動する場所を表す第２のエリアへの移動履歴を格納する履歴格納部に格納された移動履歴に基づいて、前記第１のエリアと前記第２のエリアとを対応付け、
ユーザの場所を取得する手段により取得される第１のエリアから対応する第２のエリアを特定し、
該ユーザに提示するために、前記特定部により特定された第２のエリアを通知する、管理サーバにおける情報提供方法。
【請求項９】
エリアと該エリアに関係する情報とを関連づけたテーブルに基づいて、無線端末からのキーワードから特定される第３のエリアを特定し、
前記無線端末に、前記第３のエリアを通知する、管理サーバにおける情報提供方法。
【発明の詳細な説明】
【技術分野】
【０００１】
本発明は、通信システムに関する。
【背景技術】
【０００２】
GPS等を用いた正確な測位が困難な施設等において、無線端末又は無線端末を有する人又は物品の位置を把握し、管理するために、様々な位置情報管理システムが提案されている。
【０００３】
人に付されたパッシブ方式のRFタグを、固定されたRFリーダライタによって読み取り、その位置を他の無線端末等に通知するシステムが知られている（例えば、特許文献１参照）。
【０００４】
無線端末が、近傍の送信器から無線送信される識別子を位置特定情報に置換して自らの位置を特定するシステムが知られている（例えば、特許文献２参照）。
【０００５】
無線端末が、照明装置から発信される固有情報を受信し、該固有情報をサーバに送信することで、無線端末の位置を特定するシステムが知られている（例えば、特許文献３参照）。
【発明の概要】
【発明が解決しようとする課題】
【０００６】
ところで、デパートや、ショッピングモール等の多数の人々が出入りするエリアにおいて、お客に、そのエリアに応じた情報を提供することが要求されている。そのエリアに応じた情報を提供するためには、人の位置を把握し、管理できることが好ましい。例えば、無線端末の位置に基づいて、該無線端末を有する人の位置を把握し、管理できるのが好ましい。
【０００７】
本発明は、このような問題に鑑みてなされたものであり、無線端末へ、位置情報に基づいて、情報を提示することを目的とする。
【課題を解決するための手段】
【０００８】
上述した課題を解決し目的を達成するため、
開示の一実施例の管理サーバは、
ユーザの場所を表す第１のエリアから、該ユーザが移動する場所を表す第２のエリアへの移動履歴を格納する履歴格納部と、
該履歴格納部に格納された移動履歴に基づいて、前記第１のエリアと前記第２のエリアとを対応付け、ユーザの場所を取得する手段により取得される第１のエリアから対応する第２のエリアを特定する特定部と、
該ユーザに提示するために、前記特定部により特定された第２のエリアを通知する送信部と
を有する。
【０００９】
開示の一実施例の管理サーバは、
エリアと該エリアに関係する情報とを関連づけて格納するエリア情報格納部と、
該エリア情報格納部に格納された情報に基づいて、ユーザの有する無線端末から送信されるキーワードにより第３のエリアを特定する特定部と、
前記無線端末に提示するために、前記特定部により特定された第３のエリアを通知する送信部と
を有する。
【００１０】
開示の一実施例の情報提供方法は、
ユーザの場所を表す第１のエリアから、該ユーザが移動する場所を表す第２のエリアへの移動履歴を格納する履歴格納部に格納された移動履歴に基づいて、前記第１のエリアと前記第２のエリアとを対応付け、
ユーザの場所を取得する手段により取得される第１のエリアから対応する第２のエリアを特定し、
該ユーザに提示するために、前記特定部により特定された第２のエリアを通知する。
【００１１】
開示の一実施例の情報提供方法は、
エリアと該エリアに関係する情報とを関連づけたテーブルに基づいて、無線端末からのキーワードから特定される第３のエリアを特定し、
前記無線端末に、前記第３のエリアを通知する。
【発明の効果】
【００１２】
開示の実施例によれば、無線端末へ、位置情報に基づいて、情報を提示することができる。
【図面の簡単な説明】
【００１３】
【図１】一実施形態における位置情報管理システムを表す図。
【図２】一実施形態における位置情報管理システムを構成するネットワークを表す図。
【図３】一実施形態における通信装置のハードウェア構成図。
【図４】一実施形態における無線端末のハードウェア構成図。
【図５】一実施形態における管理装置のハードウェア構成図。
【図６】一実施形態における管理サーバのハードウェア構成図。
【図７】一実施形態における通信装置の機能ブロック図。
【図８】一実施形態における無線端末の機能ブロック図。
【図９】一実施形態における管理装置の機能ブロック図。
【図１０】一実施形態における管理サーバの機能ブロック図。
【図１１】一実施形態における通信装置が保持する情報の一例を表す図。
【図１２】一実施形態における無線端末が保持する情報の一例を表す図。
【図１３】一実施形態における無線端末が送信する位置情報のフォーマットの一例を表す図。
【図１４】一実施形態における管理サーバが保持する情報の一例を表す図。
【図１５】一実施形態における位置情報管理システムの動作シーケンスを表す図。
【図１６】一実施形態における管理サーバの検索画面の一例を表す図。
【図１７】一実施形態における管理サーバの検索結果画面の一例を表す図。
【図１８】一実施形態における位置情報管理システムを表す図。
【図１９】一実施形態における第１の管理サーバの機能ブロック図。
【図２０】一実施形態における第１の管理サーバが保持する情報の一例を表す図。
【図２１】一実施形態における第２の管理サーバの機能ブロック図。
【図２２】一実施形態における第２の管理サーバが保持する情報の一例を表す図。
【図２３】一実施形態における第２の管理サーバの処理の一例を表す図。
【図２４】一実施形態における無線端末のハードウェア構成図。
【図２５】一実施形態における位置情報管理システムの動作シーケンスを表す図。
【図２６】一実施形態における無線端末のハードウェア構成図。
【図２７】一実施形態における無線端末への入力例を表す図。
【図２８】一実施形態における第２の管理サーバの機能ブロック図。
【図２９】一実施形態における第２の管理サーバが保持する情報の一例を表す図。
【図３０】一実施形態における位置情報管理システムの動作シーケンスを表す図。
【発明を実施するための形態】
【００１４】
以下、実施形態を図面に基づいて説明する。
【００１５】
１．システム
２．ハードウェア構成例
３．機能
４．動作シーケンス
（１．システム）
図１は一実施形態における位置情報管理システム１を表す。図１は、通信装置１００、１０２、１０４、１０６、無線端末１２０、１２２、１２４、管理装置１４０、管理サーバ１６０、通信装置と無線端末と管理装置とから構成されるネットワーク１８０及びネットワーク１９０を有する。ここで、ネットワーク１８０は、管理装置１４０によって管理される無線ネットワークである。
【００１６】
図２は、図１において無線ネットワークを構成する通信装置１００、１０２、１０４、１０６、無線端末１２０、１２２、１２４、管理装置１４０を抜き出して示したものである。
【００１７】
通信装置１００、１０２、１０４、１０６は、例えば部屋の天井等に固定され、固定された位置に係る、経緯情報、建物の階数及び棟番号のような位置情報（以下「位置情報」とする）そのものを連続的又は断続的に無線送信する。通信装置は、それぞれ独立した筐体を有し、予め設置された電源から給電されて動作するか、あるいはLED蛍光管のような照明器具に組み込まれ、該照明器具から給電されて動作する。通信装置１００、１０２、１０４、１０６は、それぞれが保持する位置情報を、無線信号により所定の範囲に送信する。所定の範囲は、用いられる無線信号の信号強度によって定められる。通信装置は、位置の管理対象となる領域をカバーするように配置され、それぞれの領域が重複しないように構成される。あるいは、重複する場合であっても、位置情報を受信する側において、受信電波の強度に基づいて、何れか一つの通信装置が決定できるよう構成される。図１の例では、それぞれの通信装置の下方に示される円錐型の点線が、所定の範囲を表している。位置情報を送信する通信方式として、例えば地上補完信号（Indoor  Messaging  System;IMES）を用いることができる。
【００１８】
無線端末１２０、１２２、１２４は、通信装置１００、１０２、１０４、１０６のうち、最寄の通信装置が送信する無線信号を受信することができる。図１の例では、それぞれの無線端末は、位置を管理する対象である直方体の管理対象物に付されている。無線端末１２０、１２２、１２４は、自らも電波を送信可能な、例えばアクティブタグのような端末である。以下、無線端末１２０について説明する。
【００１９】
（無線端末１２０）
無線端末１２０は、通信装置１００からの無線信号を受信できる範囲にあり、通信装置１００の位置情報を受信する。通信装置１００の位置情報の受信は、例えばIMESを用いて行われる。無線端末１２０は、受信した位置情報と共に、例えばネットワークアドレスのような自らの識別情報を含む情報を通信装置１００へ送信する。該送信は、例えばIEEE802.15.4及びZigBee（登録商標）のような近距離無線通信によるネットワーク１８０を通じて行われる。この場合には、無線端末１２０の識別情報として、IEEE802.15.4の短縮アドレスまたはIEEE拡張（MAC）アドレスを用いることができる。通信装置１００へ送信された識別情報と位置情報は、次に、隣接する通信装置１０２を経由して、管理装置１４０に送信される。なお、無線端末１２０における送受信の動作は、当該無線端末１２０において予め定められたタイミングか、あるいは、当該無線端末１２０の備える加速度センサによる加速度の変化が検出されたタイミングで行われる。
【００２０】
管理装置１４０は、ネットワーク１８０とネットワーク１９０とを相互に接続し、ネットワーク１８０側から送信されたデータをネットワーク１９０にブリッジする。管理装置１４０は、例えば建物のフロア毎、または壁などで仕切られた部屋毎に設置される。ネットワーク１８０がIEEE802.15.4及びZigBee（登録商標）によるPAN（Personal  Area  Network）であり、ネットワーク１９０がIEEE802.3規格に基づくLANである場合には、それらの間での通信方式の変換を行う。また、無線端末１２０の識別情報がIEEE802.15.4の短縮アドレスで表されている場合には、PAN構成時の情報に基づきIEEE拡張アドレスに変換し、管理サーバ１６０に送信する。
【００２１】
管理サーバ１６０は、管理装置１４０を経由して受信された識別情報と位置情報とを、受信日時と共に記録し、通信装置の位置を管理する。管理サーバ１６０では、無線端末に係る管理対象物が予め記録されている。よって、これらの情報を用いて、管理対象物の所在を探索することができる。
【００２２】
ネットワーク１８０は、それぞれの通信装置１００、１０２、１０４、１０６と、無線端末１２０、１２２、１２４と、管理装置１４０とを接続する、例えばIEEE802.15.4及びZigBee（登録商標）規格によって構成されるPANである。PANがIEEE802.15.4及びZigBee（登録商標）規格で構成される場合は、無線端末、通信装置、管理装置は、それぞれZigBee（登録商標）規格で定められるエンドデバイス機能、ルータ機能及びコーディネータ機能を有する。そして、それぞれの通信装置及び無線端末は、起動時に管理装置の管理下に入り、PANを構成し、管理装置への最小経路が決定される。
【００２３】
ネットワーク１９０は、管理装置１４０と管理サーバ１６０とを接続するネットワークであり、例えばIEEE802.3規格で定められるLANである。
【００２４】
上記の通り、一実施形態における位置情報管理システム１において、無線端末は、最寄の通信装置と通信できるだけの電力を用いて、識別情報と位置情報とを管理サーバへ送信することができる。また、通信装置を設置するための新たなインフラの敷設が不要であり、導入コストを低減することができる。
【００２５】
なお、通信装置の位置情報は、ネットワーク１８０を通じて提供されてもよい。これにより、IMESのような位置情報を送信するための送信手段が不要となる。
【００２６】
また、無線端末は、位置情報を送信した通信装置よりさらに近傍に管理装置が存在する場合には、識別情報と位置情報とを管理装置１４０に送信してもよい。これにより、最短経路で識別情報と位置情報が管理サーバに送信できる。
【００２７】
また、管理サーバに、管理装置の機能を統合してもよい。これにより、個別の管理装置が不要となる。
【００２８】
また、無線端末は、スマートフォン、PDA、PC又はスマートメータのような、アクティブタグと同等の機能を有する無線端末であってもよい。これにより、タグを付することなく、既存の無線端末の位置情報の管理が可能となる。
【００２９】
また、上述の位置情報に加えて、例えば部屋の中の区画を表す情報のような、より細かな位置を特定する情報を含んでもよい。これにより、より細かな位置管理が可能となる。
【００３０】
また、位置管理対象が人であってもよい。これにより、当該システム１によって人の所在を管理することができる。
【００３１】
また、ネットワーク１８０は、例えばBluetooth  LE、ANT、Z-Wave等の近距離無線通信を用いて構成されてもよい。これにより、多様な無線端末の位置情報を管理することが可能となる。
【００３２】
また、ネットワーク１９０は、例えばインターネットのような、複数の種類のネットワークを含んでもよい。これにより、ネットワーク１８０と管理サーバ１６０との間の物理的な位置に関係なく、無線端末の位置情報を管理することが可能となる。
（２．ハードウェア構成例）
次に、図３、図４、図５、図６を用いて、位置情報管理システム１に含まれる通信装置１００、無線端末１２０、管理装置１４０、管理サーバ１６０のハードウェア構成について説明する。
【００３３】
図３は、一実施形態における通信装置１００のハードウェア構成を表す。通信装置１００は、ＣＰＵ２００、ＲＡＭ２０２、ＲＯＭ２０４、位置信号送信制御部２０６、位置信号送信部２０８、無線通信制御部２１０、無線通信部２１２及びバス２１４を有する。
【００３４】
ＣＰＵ２００は、当該通信装置１００の動作制御を行うプログラムを実行する。ＲＡＭ２０２は、ＣＰＵ２００のワークエリア等を構成する。ＲＯＭ２０４は、ＣＰＵ２００が実行するプログラムに加えて、当該通信装置１００の位置情報を記憶する。位置信号送信制御部２０６は、位置信号送信部２０８を介して当該通信装置１００の位置情報を表す測位信号を送信するための処理を実行する。位置信号送信部２０８は、例えばIMESのような測位信号を送出するアンテナを含む装置である。無線通信制御部２１０は、無線通信部２１２を介して無線通信処理を実行する。無線通信部２１２は、例えばIEEE802.15.4規格に適合する電波を送受信可能なアンテナを含む装置である。バス２１４は、上記装置を電気的に接続する。
【００３５】
上記構成により、一実施形態における通信装置１００は、無線端末１２０に対して位置情報を送信し、無線端末１２０から識別情報と位置情報を受信し、これらの情報を管理装置を介して管理サーバへ送信することができる。
【００３６】
なお、上述したように、位置情報を無線通信によって送信する場合には、位置信号送信制御部２０６と位置信号送信部２０８は不要となる。
【００３７】
図４は、一実施形態における無線端末１２０のハードウェア構成を表す。無線端末１２０は、ＣＰＵ２２０、ＲＡＭ２２２、ＲＯＭ２２４、位置信号受信制御部２２６、位置信号受信部２２８、無線通信制御部２３０、無線通信部２３２、加速度検出制御部２３４、加速度検出部２３６及びバス２３８を有する。
【００３８】
ＣＰＵ２２０は、当該無線端末１２０の動作制御を行うプログラムを実行する。ＲＡＭ２２２は、ＣＰＵ２２０のワークエリア等を構成する。ＲＯＭ２２４は、ＣＰＵ２２０が実行するプログラムに加えて、当該無線端末１２０の識別情報や、通信装置１００から受信した位置情報を記憶する。位置信号受信制御部２２６は、位置信号受信部２２８を介して、位置情報を表す測位信号を受信するための処理を実行する。位置信号受信部２２８は、例えばIMESのような測位信号を受信するアンテナを含む装置である。無線通信制御部２３０は、無線通信部２３２を介して無線通信処理を実行する。無線通信部２３２は、例えばIEEE802.15.4規格に適合する電波を送受信可能なアンテナを含む装置である。加速度検出制御部２３４は、加速度検出部２３６を介して加速度の変化を検出する。加速度検出部２３６は、例えば加速度センサ又は慣性力や磁気を用いたモーションセンサである。バス２３８は、上記装置を電気的に接続する。
【００３９】
上記構成により、一実施形態における無線端末１２０は、通信装置１００から位置情報を受信し、前記位置情報と共に自らの識別情報を通信装置１００へ送信することができる。特に、無線端末が動かされたタイミングで送信又は受信の動作を行うことにより、効率的に識別情報及び位置情報を送信することができる。
【００４０】
なお、無線端末１２０がスマートフォンやＰＣのような情報端末である場合には、ユーザからの入力を受け付ける、例えばタッチパネル、ダイヤルキー、キーボード、マウスのような入力装置及び対応する入力制御部を備えてもよい。さらに、スクリーンのような表示装置及び対応する表示制御部を備えてもよい。
【００４１】
また、無線端末１２０がGPSアンテナ及び対応する制御部を備える場合には、前記アンテナを用いてIMESによる測位信号を受信でき、ソフトウェアの改修のみによって当該位置情報管理システム１に対応させることができる。
【００４２】
また、加速度検出制御部２３４及び加速度検出部２３６は任意の構成要素である。加速度検出制御部２３４及び加速度検出部２３６を備えない場合には、当該無線端末１２０の送信又は受信の動作は、予め定められた間隔又は時刻においてなされる。
【００４３】
また、上述したように、位置情報が無線通信によって受信される場合には、位置信号受信制御部２２６と位置信号受信部２２８は不要となる。
【００４４】
図５は、一実施形態における管理装置１４０のハードウェア構成を表す。管理装置１４０は、ＣＰＵ２４０、ＲＡＭ２４２、ＲＯＭ２４４、無線通信制御部２４６、無線通信装置２４８、有線通信制御部２５０、有線通信装置２５２及びバス２５４を有する。
【００４５】
ＣＰＵ２４０は、当該管理装置１４０の動作制御を行うプログラムを実行する。ＲＡＭ２４２は、ＣＰＵ２４０のワークエリア等を構成する。ＲＯＭ２４４は、ＣＰＵ２４０が実行するプログラムや該プログラムが使用するデータを記憶する。無線通信制御部２４６は、無線通信装置２４８を介して無線通信処理を実行する。無線通信装置２４８は、例えばIEEE802.15.4規格に適合する電波を送受信可能なアンテナを含む装置である。有線通信制御部２５０は、有線通信装置２５２を介して有線による通信処理を実行する。有線通信装置２５２は、例えばIEEE802.3規格に適合するネットワークインターフェースを有する装置である。バス２５４は、上記装置を電気的に接続する。
【００４６】
上記構成により、一実施形態における管理装置１４０は、通信装置１００及び無線端末１２０を含むネットワーク１８０からの信号を、管理サーバ１６０を含むネットワーク１９０へと変換することができる。また、PANを構成するネットワーク１８０がZigBee（登録商標）である場合には、PANに参加するデバイスを管理するコーディネータの機能を有することができる。
【００４７】
図６は、一実施形態における管理サーバ１６０のハードウェア構成を表す。管理サーバ１６０は、ＣＰＵ２６０、ＲＡＭ２６２、ＲＯＭ２６４、ＨＤＤ２６６、通信制御部２６８、通信部２７０、表示制御部２７２、表示部２７４、入力制御部２７６、入力部２７８及びバス２８０を有する。
【００４８】
ＣＰＵ２６０は、当該管理サーバ１６０の動作制御を行うプログラムを実行する。ＲＡＭ２６２は、ＣＰＵ２６０のワークエリア等を構成する。ＲＯＭ２６４は、ＣＰＵ２６０が実行するプログラムや該プログラムが使用するデータを記憶する。ＨＤＤ２６６は、当該位置情報管理システム１で用いられる無線端末１２０の位置を管理するための情報を記憶する。通信制御部２６８は、通信部２７０を介して通信処理を実行する。通信部２７０は、例えばIEEE802.3規格に適合するネットワークインターフェースを有する装置である。表示制御部２７２は、当該管理サーバ１６０上で実行される、位置管理に係るプログラムの処理内容に合わせて、表示部２７４に表示される内容を制御する。表示部２７４は、例えば液晶ディスプレイやＣＲＴディスプレイのようなディスプレイが含まれる。入力制御部２７６は、ユーザからの入力を受け付ける、キーボード、マウス等の入力部２７８からの信号を処理する。バス２８０は、上記装置を電気的に接続する。
【００４９】
上記構成により、一実施形態における管理サーバ１６０は、無線端末１２０の位置を管理し、該無線端末１２０の所在を探索することができる。
【００５０】
なお、ＨＤＤ２６６は、テープドライブを含むあらゆる記憶装置であってもよく、あるいは、ネットワークを介してアクセス可能なストレージ領域であってもよい。
【００５１】
また、管理サーバ１６０は、上述した管理装置１４０が備える無線通信制御部及び無線通信装置を備え、管理装置１４０に代えて、その処理を行ってもよい。これにより、管理装置１４０を別途設ける必要がなくなる。
（３．機能）
図７は、一実施形態における通信装置１００の機能ブロック図を表す。一実施形態における通信装置１００は、記憶手段３００、通信手段３０４及び制御手段３１２を有する。
【００５２】
記憶手段３００は、当該通信装置１００の位置情報３０２を記憶する。位置情報３０２を記憶するためのテーブルの例を図１１に示す。図１１は、階数、緯度、経度、棟番号の項目を含む。階数は、当該通信装置１００が設置される建物の階数を表す。緯度及び経度は、当該通信装置１００の所在する位置の緯度及び経度を表す。棟番号は、当該通信装置１００が設置される建物の棟番号を表す。図１１の例では、通信装置１００は、ある建物のＣ棟の１６階に所在し、緯度が３５．４５９５５５、経度が１３９．３８７１１０の地点に所在する。
【００５３】
通信手段３０４は、位置情報送信手段３０６、端末情報受信手段３０８及び端末情報送信手段３１０を有する。
【００５４】
位置情報送信手段３０６は、経緯情報、建物の階数、棟番号のような情報を含む位置情報３０２を、所定の範囲にある無線端末１２０に対して連続的又は断続的に無線送信する。位置情報３０２は、例えばIMESに規定されるフォーマットを用いて送信される。
【００５５】
端末情報受信手段３０８は、無線端末１２０から送信された識別情報と位置情報とを受信する。
【００５６】
端末情報送信手段３１０は、無線端末１２０から送信された識別情報と位置情報とを、管理装置１４０を介して管理サーバ１６０へ送信する。ネットワーク１８０がZigBee（登録商標）規格を用いてなされる場合には、前記送信は、当該通信装置１００が保持するルーティング情報を用いて行われる。
【００５７】
制御手段３１２は、当該通信装置１００の動作を制御する。当該通信装置１００が無線端末１２０及び管理装置１４０とZigBee（登録商標）を用いてPANを構成する場合には、当該通信装置１００がルータ機能を提供するよう制御する。
【００５８】
上記構成により、一実施形態における通信装置１００は、位置情報３０２を保持し、位置情報３０２を無線端末１２０に送信し、該無線端末１２０の識別情報と位置情報を受信して、該識別情報を管理装置１４０を通じて管理サーバへ送信することができる。
【００５９】
なお、位置情報３０２は、通信装置１００が設置される建物名や、部屋の中の区画を表す情報のような追加の情報を含んでもよい。これにより、より細かな位置管理が可能となる。
【００６０】
図８は、一実施形態における無線端末１２０の機能ブロック図を表す。一実施形態における無線端末１２０は、記憶手段３２０、通信手段３２６、加速度検出手段３３２及び制御手段３３４を有する。
【００６１】
記憶手段３２０は、識別情報３２２と位置情報３２４を有する。識別情報３２２は、当該無線端末１２０のネットワークアドレスのような、当該位置情報管理システム１上で無線端末１２０を特定可能な情報を含む。例えば、ネットワーク１８０がIEEE802.15.4及びZigBee（登録商標）規格に基づく場合には、IEEE802.15.4の短縮アドレス又はIEEE拡張（MAC）アドレスを用いることができる。位置情報３２４は、通信装置１００から送信された位置情報３０２である。位置情報３２４を記憶するためのテーブルの例を図１２に示す。構成は図１１と同様である。
【００６２】
通信手段３２６は、位置情報受信手段３２８と識別情報送信手段３３０を有する。
【００６３】
位置情報受信手段３２８は、通信装置１００から送信された位置情報３０２を受信する。受信された位置情報３０２は、当該無線端末１２０の記憶手段３２０に保持される。
【００６４】
識別情報送信手段３３０は、当該無線端末１２０の識別情報３２２と共に位置情報３２４を通信装置１００に送信する。位置情報３０２は、例えば図１２のようなフォーマットにより無線端末１２０に送信される。図１２のフォーマットでは、階数、緯度、経度、棟番号の各フィールドが、それぞれ９ビット、２１ビット、２１ビット、８ビットで表現され、IMES規格によって受信したメッセージの該当フィールドを繋げた形とする。各フィールドの表現形式はIMES規格に準ずる。実際には、このフォーマットに加えて、通信方式によって規定されるヘッダやチェックサム情報が付加されて送信される。通信方式として、例えばIEEE802.15.4及びZigBee（登録商標）規格が用いられる。
【００６５】
加速度検出手段３３２は、当該無線端末１２０の加速度の変化を検出する。加速度の変化は、例えば当該無線端末１２０が移動を開始した時、該移動が停止した時、又は傾きを検出した時等に検出される。検出された加速度の変化は、当該無線端末１２０の送信又は受信の動作のタイミングを決定するために用いられる。なお、当該加速度検出手段３３２は任意の構成要素である。
【００６６】
制御手段３３４は、位置情報受信手段２３８による位置情報の受信のタイミングと、識別情報送信手段３３０による識別情報３２２と位置情報３２４との送信のタイミングを制御する。送受信のタイミングは、加速度検出手段３３２による加速度の変化の検出に基づいて決定される。あるいは、当該無線端末１２０に予め設定された間隔あるいは時刻に基づいて決定されてもよい。また、送信と受信のタイミングは、それぞれ独立して決定されてもよい。さらに、制御手段３３４は、当該無線端末１２０が通信装置１００及び管理装置１４０と共にZigBee（登録商標）によりPANを構成する場合には、当該無線端末１２０がエンドポイント機能を提供するよう制御する。
【００６７】
上記構成により、一実施形態における無線端末１２０は、通信装置から位置情報を効率的に受信し、該位置情報と共に識別情報通信装置へ効率的に送信することができる。
【００６８】
なお、無線端末１２０がスマートフォンやＰＣのような情報端末である場合には、ユーザからの入力を受け付ける入力手段や、ユーザに情報を提示する表示手段を備えてもよい。これにより、ユーザへの識別情報又は位置情報の提示や、ユーザからの識別情報又は位置情報の入力又は修正が可能となる。
【００６９】
図９は、一実施形態における管理装置１４０の機能ブロック図を表す。一実施形態における管理装置１４０は、通信手段３４０、変換手段３４６及び制御手段３４８を有する。
【００７０】
通信手段３４０は、受信手段３４２と送信手段３４４を有する。受信手段３４２は、ネットワーク１８０に属する通信装置又は無線端末から送信されたデータを受信する。送信手段３４４は、当該管理装置１４０で変換された前記データを、ネットワーク１９０に属する管理サーバ１６０へ送信する。ネットワーク１８０は、例えばIEEE802.15.4及びZigBee（登録商標）規格に基づくPANである。また、ネットワーク１９０は、例えばIEEE802.3規格に基づくLANである。
【００７１】
変換手段３４６は、受信手段３４２がネットワーク１８０から受信したデータを、ネットワーク１９０に適合する形式に変換する。変換されたデータは、送信手段３４４によって、ネットワーク１９０を介して管理サーバ１６０へ送信される。ここで、前記データに含まれる、無線端末１２０の識別情報が、IEEE802.15.4の短縮アドレスで表されている場合には、PAN構成時の情報に基づき、IEEE拡張アドレスに変換される。
【００７２】
制御手段３４８は、当該管理装置１４０の動作を制御する。当該管理装置１４０が通信装置１００と無線端末１２０と共にZigBee（登録商標）規格によりPANを構成する場合には、当該管理装置１４０がコーディネータ機能を提供するよう制御する。
【００７３】
上記構成により、一実施形態における管理装置１４０は、通信装置１００及び無線端末１２０が属するネットワーク１８０と、管理サーバが属するネットワーク１９０との間の通信をブリッジすることができる。
【００７４】
図１０は、一実施形態における管理サーバ１６０の機能ブロック図を表す。一実施形態における管理サーバ１６０は、通信手段３６０、記憶手段３６６、入力手段３７０、表示手段３７２及び制御手段３７４を有する。
【００７５】
通信手段３６０は、受信手段３６２と送信手段３６４を有する。受信手段３６２は、管理装置１４０を通じて無線端末から送信された識別情報と位置情報とを受信する。受信された識別情報と位置情報は、記憶手段３６６に記憶される。送信手段３６４は、外部サーバ等に対して位置情報の提供を求められた場合に、該位置情報を前記外部サーバ等に送信する。
【００７６】
記憶手段３６６は、位置管理情報３６８を有する。位置管理情報３６８は、無線端末１２０から受信した識別情報と位置情報に、受信時刻等の管理情報を付加した情報である。該情報を記憶するテーブルの例を図１４に示す。図１４は、識別情報、機器名、所有部署、緯度、経度、階数、棟、受信日時の項目を有する。識別情報は、当該識別情報を送信した無線端末１２０の、例えばIEEE拡張アドレスのような情報である。緯度、経度、階数、棟は、識別情報と共に受信された位置情報に対応する。受信日時は、管理サーバ１６０が当該情報を受信した日時である。機器名は、当該情報を送信した無線端末１２０が付される管理対象の名前又は無線端末１２０の機器名である。所有部署は、当該情報を送信した無線端末１２０を所有する部署名である。機器名及び所有部署の情報は、予め当該管理サーバ１６０によって、識別情報と関連付けられている。
【００７７】
入力手段３７０は、ユーザが位置情報を探索するために、ユーザからの入力を受け付ける。
【００７８】
表示手段３７２は、ユーザが位置情報を探索するための検索画面に係るＧＵＩを画面上に表示する。検索画面の例を図１６に示す。図１６に示された「所在検索システム」では、記憶手段３６６に記憶された情報を元に、無線端末に係る所有部署と機器名を画面に一覧表示する。ユーザが、検索したい機器のチェックボックスを入力手段３７０を通じて選択すると、チェックマークが付される。検索したい機器に全てチェックマークを付けた後に「検索実行」ボタンを選択すると、検索が実行され、結果を表示する画面に切り替わる。図１６の例では、ユーザが「営業１課」が所有する「ＵＣＳ  Ｐ３０００」という機器を対象として検索を実行する例を示している。図１７は、その検索結果の画面の例である。「検索実行」ボタンが選択されると、表示手段３７２は、記憶手段３６６に記憶されたデータを元に、「ＵＣＳ  Ｐ３０００」が所在する「A棟4階」のフロア図と、その機器名及び受信日時を表示する。
【００７９】
制御手段３７４は、当該管理サーバの動作を制御する。
【００８０】
上記構成により、一実施形態における管理サーバ１６０は、無線端末の位置を管理し、その所在を検索することができる。特に、無線端末の位置そのものを表す情報そのものを直接受信して管理することができ、位置の探索にかかる計算量を低減することができる。
【００８１】
なお、管理サーバ１６０は、管理装置１６０の有する変換手段３４６、制御手段３４８及び受信手段３４２と同様の機能を有し、管理装置１６０と同様の機能を有してもよい。これにより、管理装置１６０を個別に設ける必要がなくなる。
【００８２】
また、管理サーバ１６０によって記憶される位置管理情報３６８は、図１４に示された情報と共に、あるいは該情報に代えて、無線端末が情報を送信した日時、経由した通信装置又は管理装置の識別子、情報の到着までにかかった時間又は電界強度を含む情報を記憶してもよい。これにより、より詳細な条件で位置情報を管理することができる。
【００８３】
また、管理サーバ１６０は、無線端末の過去の位置情報を記録してもよい。これにより、無線端末の移動を追跡することができる。
（４．動作シーケンス）
図１５は、図１の構成における一実施形態における位置情報管理システム１の動作シーケンスを表す図である。図１５では、加速度の変化を検知すると位置情報を受信し、識別情報を送信する通信装置１００と、該通信装置１００の属する領域に位置情報を送信する無線端末１２０と、PAN（IEEE802.15.4及びZigBee（登録商標））とLAN（IEEE802.3）とをブリッジする管理装置１４０と、管理サーバ１６０とで構成される例について説明する。通信装置１００と、無線端末１２０と、管理装置１４０との間のPANは既に確立されているものとする。
【００８４】
ステップＳ８００において、通信装置１００は、IMES等を用いて位置情報を連続的又は断続的に送信する。
【００８５】
ステップＳ８０２において、無線端末１２０は、加速度の変化を検知する。
【００８６】
ステップＳ８０４において、無線端末１２０は、通信装置１００から送信される位置情報を受信する。
【００８７】
ステップＳ８０６において、無線端末１２０は、受信された位置情報を記憶する。
【００８８】
ステップＳ８０８において、無線端末１２０は、識別情報と位置情報を通信装置１００へ送信する。
【００８９】
ステップＳ８１０において、通信装置１００は、無線端末１２０から受信した識別情報と位置情報とを最小経路を通じて管理装置へ送信する。
【００９０】
ステップＳ８１２において、管理装置１４０は、通信装置１００から受信した識別情報と位置情報を含む、ネットワーク１８０から送信されたデータをネットワーク１９０で適合する形式へと変換する。
【００９１】
ステップＳ８１４において、管理装置１４０は、ネットワーク１９０に適合する形式に変換された識別情報と位置情報を管理サーバ１６０へ送信する。
【００９２】
ステップＳ８１６において、管理サーバ１６０は、管理装置から受信した識別情報と位置情報を、識別情報に対応する無線端末の情報と共に登録する。
【００９３】
以上の手順により、一実施形態における位置情報管理システム１は、無線端末が最寄の通信装置に対して効率よく識別情報と位置情報とを送信することにより、無線端末の消費電力を抑えることができる。
【００９４】
なお、既に述べたように、管理サーバ１６０が管理装置１４０の機能を統合して実行してもよい。この場合には、別個の管理装置１４０を設置する必要がなくなる。
【００９５】
また、無線端末が加速度検出手段３３２を備えていない場合には、ステップＳ８０２は実行されず、ステップＳ８０４における位置情報の受信は、所定の時刻又は所定の間隔で行われ得る。その後の処理は、ステップＳ８０６〜Ｓ８１６と同様である。
【００９６】
（変形例（その１））
図１８は、位置情報管理システム１の一変形例を示す。
【００９７】
位置情報管理システム１の一変形例は、デパートや、ショッピングモール等の多数の人々が出入りするショッピングエリアに、上述した位置情報管理システム１を適用したものである。
【００９８】
位置情報管理システム１の一変形例は、ネットワーク１９０に、アクセスポイント１５０と、第１の管理サーバ１６０と、第２の管理サーバ２００とが接続される。
【００９９】
通信装置１００は、売り場毎に設置されてもよいし、売り場を複数に分割したエリア毎に設置されてもよい。また、通信装置１００は、小売店舗毎に設置されてもよいし、小売店舗を複数に分割した分割エリア毎に設置されてもよい。通信装置１００によりカバーされるエリアは、ゾーンと呼ばれてもよい。
【０１００】
位置情報管理システム１の一変形例では、ユーザが位置する売り場や、小売店舗（以下、「店」という）に応じて、該店以外の他の店を提示する。ユーザが位置する店以外の他の店を提示することにより、ユーザに、他の店を薦めることができる。
【０１０１】
デパートや、ショッピングモール等の多数の人々が出入りするショッピングエリアでは、ユーザは、興味のある店を選別して来店していることが多い。このため、ユーザは、選別した店以外については、来店を予定していないことが多い。従って、ユーザに購入を促すためには、選別した店以外の店を薦めることが望ましい。
【０１０２】
図１９は、第１の管理サーバ１６０の一変形例を示す。第１の管理サーバ１６０は、図１０を参照して説明した管理サーバの記憶手段３６６に、店と該店の位置情報とを対応付けたテーブル（以下、「店位置情報対応テーブル３６９」という）を格納する。第１の管理サーバ１６０のハードウェア構成は、図６と略同一である。
【０１０３】
第１の管理サーバ１６０は、無線端末１２０から受信した識別情報と位置情報に、受信時刻等の管理情報を付加した位置管理情報３６８を格納する。
【０１０４】
図２０は、店位置情報対応テーブル３６９の一実施例を示す。
【０１０５】
図２０に示される例では、位置情報に、経度、緯度、及び階数が含まれ、位置情報に対応して店情報が対応付けられる。デパートや、ショッピングモールが複数のエリアに分かれている場合には、位置情報に、エリア情報を含めてもよい。
【０１０６】
制御手段３７４は、店位置情報対応テーブル３６９を参照し、位置管理情報３６８に格納された位置情報に対応する店情報を特定する。制御手段３７４は、第２の管理サーバ２００へ、特定した店情報と、無線端末１２０の識別情報とを送信する。
【０１０７】
第２の管理サーバ２００のハードウェア構成は、図６と略同一である。
【０１０８】
図２１は、第２の管理サーバ２００の一実施例を示す。第２の管理サーバ２００は、通信手段４６０、記憶手段４６６及び制御手段４７４を有する。
【０１０９】
通信手段４６０は、受信手段４６２と送信手段４６４を有する。受信手段４６２は、第１の管理サーバ１６０から、ネットワーク１９０を通じて、無線端末１２０の識別情報と、店情報とを受信する。受信された識別情報と店情報は、記憶手段４６６に記憶される。送信手段４６４は、無線端末１２０へ、該無線端末１２０へ薦める店情報を送信する。
【０１１０】
記憶手段４６６は、履歴情報４６７を有する。履歴情報４６７は、第１の管理サーバ１６０から受信した識別情報と店情報に、受信時刻等の管理情報を付加した情報である。
【０１１１】
図２２は、履歴情報４６７の一変形例を示す。
【０１１２】
図２２は、識別情報、履歴情報の項目を有する。履歴情報の項目では、受信日時の早い順に、店情報が格納される。識別情報は、該識別情報を送信した無線端末１２０の、例えばIEEE拡張アドレスのような情報である。受信日時は、管理サーバ２００が該情報を受信した日時であってもよい。
【０１１３】
制御手段４７４は、当該第２の管理サーバの動作を制御する。例えば、制御手段４７４は、第１の管理サーバ１６０から、識別情報と店情報とを受信した際に、履歴情報４６７を参照し、該識別情報に対応する無線端末１２０のユーザに薦める店情報を求める。例えば、制御手段４７４は、履歴情報４６７を参照し、店情報毎に、該店から移動する人が多い店を、薦める店とする。
【０１１４】
図２３は、制御手段４７４の処理を示す。制御手段４７４は、履歴情報４６７に含まれる店情報の履歴を統計処理することにより、各店情報について、移動するユーザの多い店の順に薦める店情報とする。つまり、薦める店は一店とは限らず、複数であってもよい。図２３に示される例では、移動するユーザが一番多い店と、次に多い店とが記載されている。履歴情報４６７に含まれる店情報の履歴を統計処理する際に、平日と、休日に分けて統計処理を行うようにしてもよい。平日と、休日では、ユーザが移動する店の傾向が異なることが想定されるためである。また、薦める店情報を提示する時間によって、統計処理を行うようにしてもよい。例えば、午前と、午後では、ユーザが移動する店の傾向が異なることが想定されるためである。
【０１１５】
上記構成により、第２の管理サーバ２００の一変形例では、無線端末毎に、来店の履歴を管理し、ある店から移動するユーザの多い順に、店を薦めることができる。
【０１１６】
図２４は、無線端末１２０の一変形例を示す。
【０１１７】
無線端末１２０の一変形例は、図４を参照して説明した無線端末に表示部２３７を有する。表示部２３７は、液晶ディスプレイや、有機ＥＬディスプレイであってもよい。表示部２３７は、第２の管理サーバ２００からの薦める店を提示する。
【０１１８】
図２５は、位置情報管理システム１の動作の一変形例を示す。
【０１１９】
無線端末１２０を有するユーザが来店した後、図１５のステップＳ８００からステップＳ８０６の処理が実行される。
【０１２０】
ステップＳ２５０２では、無線端末１２０は、第１の管理サーバ１６０に、識別情報と位置情報を送信する。識別情報と位置情報は、アクセスポイント１５０を経由して、第１の管理サーバ１６０に送信される。
【０１２１】
ステップＳ２５０４では、第１の管理サーバ１６０は、第２の管理サーバ２００へ、無線端末１２０の識別情報と位置情報とを送信する。
【０１２２】
ステップＳ２５０６では、第２の管理サーバ２００は、無線端末１２０のユーザへ薦める店情報を求める。
【０１２３】
ステップＳ２５０８では、第２の管理サーバ２００は、第１の管理サーバ１６０へ、ステップＳ２５０６で求めた薦める店情報を送信する。
【０１２４】
ステップＳ２５１０では、第１の管理サーバ１６０は、無線端末１２０へ、薦める店情報を送信する。薦める店情報は、アクセスポイント１５０を介して、無線端末１２０へ送信される。
【０１２５】
ステップＳ２５１２では、無線端末１２０は、薦める店情報を受信する。
【０１２６】
ステップＳ２５１４では、無線端末１２０は、薦める店情報を表示する。
【０１２７】
位置情報管理システム１の一変形例によれば、ユーザが来店した店に応じて、次に行く店を薦めることができる。
【０１２８】
位置情報管理システム１の一変形例（その１）において、第２の管理サーバ２００は、履歴情報に、ユーザが来店した回数を含めるようにしてもよい。ユーザか来店した回数に応じて、クーポン等の金券、割引券を発行するようにしてもよい。
【０１２９】
位置情報管理システム１の一変形例（その１）において、無線端末１２０に薦める店情報を表示する代わりに、デジタルサイネージを用いて、ユーザに通知するようにしてもよい。表示部のない無線端末１２０のユーザへ、店を薦めることができる。
【０１３０】
位置情報管理システム１の一変形例（その１）において、第１の管理サーバ１６０により、第２の管理サーバ２００の処理が実行されてもよい。
【０１３１】
（変形例（その２））
位置情報管理システム１の一変形例（その２）は、図１８と略同一である。
【０１３２】
図２６は、無線端末１２０の一変形例を示す。
【０１３３】
無線端末１２０の一変形例は、図２４を参照して説明した無線端末に入力部２３９を有するようにしたものである。入力部２３９は、例えばキーや、タッチパネルであってもよい。ユーザが入力部２３９を操作することにより、所定のキーワードを入力することができる。
【０１３４】
図２７は、無線端末１２０のへのキーワードの入力例を示す。無線端末１２０へ入力されたキーワードは、無線端末１２０の識別子、位置情報とともに、無線通信部２３０による制御により、無線通信部２３２から送信される。キーワードは、無線端末１２０から、アクセスポイント１５０を介して、第１の管理サーバ１６０へ送信される。
【０１３５】
第１の管理サーバ１６０は、図１９と略同一である。
【０１３６】
制御手段３７４は、第２の管理サーバ２００へ、無線端末１２０からのキーワードを送信する制御を行う。
【０１３７】
図２８は、第２の管理サーバ２００の一変形例を示す。第２の管理サーバ２００は、図２１を参照して説明した管理サーバの記憶手段４６６に、履歴情報４６７の代わりに、店と、商品等とを対応付けたテーブル（以下、「店商品対応テーブル４６８」という）を格納する。第２の管理サーバ２００のハードウェア構成は、図６と略同一である。
【０１３８】
図２９は、店商品対応テーブル４６８の一変形例を示す。
【０１３９】
図２９に示される例では、店の種類と、店名と、販売品と、商品名とが対応付けられる。
【０１４０】
図２９に示される例では、店の種類には、「衣料品」、「雑貨」、「本」、「食品」等が含まれる。
【０１４１】
制御手段４７４は、店商品対応テーブル４６８を参照し、無線端末１２０からのキーワードに対応する店名を検索する。例えば、キーワードとして入力される販売品、商品名、店の種類に応じて、店名が検索される。検索の結果得られる店名は、複数であってもよい。
【０１４２】
制御手段４７４は、第１の管理サーバ１６０へ、検索の結果得られる店名を送信する。
【０１４３】
第１の管理サーバ１６０は、店位置情報対応テーブル３６９を参照し、無線端末１２０の位置と、検索の結果得られる店名に対応する位置との間の距離を求め、該距離が所定の閾値未満となる店を特定する。制御手段３７４は、無線端末１２０へ、特定した店と該店の位置を表す情報を送信する。
【０１４４】
無線端末１２０は、第１の管理サーバ１６０から、店と該店の位置を表す情報とを受信する。無線端末１２０は、表示部２３７へ、店の位置を表す情報に基づいて、店を表示する。例えば、表示部２３７は、地図上に、店の位置を表示するようにしてもよい。
【０１４５】
図３０は、位置情報管理システム１の動作の一変形例を示す。
【０１４６】
無線端末１２０を有するユーザが来店した後、図１５のステップＳ８００からステップＳ８０６の処理が実行される。
【０１４７】
ステップＳ３００２では、無線端末１２０は、第１の管理サーバ１６０に、識別情報と位置情報とキーワードを送信する。識別情報と位置情報とキーワードは、アクセスポイント１５０を介して、第１の管理サーバ１６０に送信される。
【０１４８】
ステップＳ３００４では、第１の管理サーバ１６０は、第２の管理サーバ２００へ、位置情報とキーワードを送信する。
【０１４９】
ステップＳ３００６では、第２の管理サーバ２００は、キーワードに対応する店情報を検索する。
【０１５０】
ステップＳ３００８では、第２の管理サーバ２００は、第１の管理サーバ１６０へ、検索の結果得られた店情報を送信する。
【０１５１】
ステップＳ３０１０では、第２の管理サーバ２００は、位置情報に基づいて、無線端末１２０から所定の距離以内に位置する店を特定する。
【０１５２】
ステップＳ３０１２では、第１の管理サーバ１６０は、無線端末１２０へ、特定された店情報を送信する。特定された店情報は、アクセスポイント１５０を介して、無線端末１２０へ送信される。
【０１５３】
ステップＳ３０１４では、無線端末１２０は、特定された店情報を受信する。
【０１５４】
ステップＳ３０１６では、無線端末１２０は、特定された店情報を表示する。
【０１５５】
位置情報管理システム１の一変形例（その２）によれば、ユーザにより入力されたキーワードに基づいて、店を薦めることができる。
【０１５６】
位置情報管理システム１の一変形例（その２）において、ユーザにキーワードを入力させる代わりに、無線端末１２０は、「ＴｏＤｏリスト」から、所定のキーワードを抽出し、第１の管理サーバ１６０に送信するようにしてもよい。
【０１５７】
位置情報管理システム１の一変形例（その２）において、無線端末１２０に特定された店情報を表示する代わりに、デジタルサイネージを用いて、ユーザに通知するようにしてもよい。表示部のない無線端末１２０のユーザへ、店を薦めることができる。
【０１５８】
位置情報管理システム１の一変形例（その２）において、第１の管理サーバ１６０により、第２の管理サーバ２００の処理が実行されてもよい。
【０１５９】
以上、本発明は特定の実施形態、実施例を参照しながら説明されてきたが、各実施形態、実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【０１６０】
１００、１０２、１０４、１０６  通信装置
１２０、１２２、１２４  無線端末
１４０  管理装置
１６０  管理サーバ
１８０  ネットワーク
１９０  ネットワーク
【先行技術文献】
【特許文献】
【０１６１】
【特許文献１】特許第４６２０４１０号公報
【特許文献２】特開２０１０−１５９９８０号公報
【特許文献３】国際公開第２００５／０８６３７５号
【図１】
2014060632.tif 000003
【図２】
2014060632.tif 000004
【図３】
2014060632.tif 000005
【図４】
2014060632.tif 000006
【図５】
2014060632.tif 000007
【図６】
2014060632.tif 000008
【図７】
2014060632.tif 000009
【図８】
2014060632.tif 000010
【図９】
2014060632.tif 000011
【図１０】
2014060632.tif 000012
【図１１】
2014060632.tif 000013
【図１２】
2014060632.tif 000014
【図１３】
2014060632.tif 000015
【図１４】
2014060632.tif 000016
【図１５】
2014060632.tif 000017
【図１６】
2014060632.tif 000018
【図１７】
2014060632.tif 000019
【図１８】
2014060632.tif 000020
【図１９】
2014060632.tif 000021
【図２０】
2014060632.tif 000022
【図２１】
2014060632.tif 000023
【図２２】
2014060632.tif 000024
【図２３】
2014060632.tif 000025
【図２４】
2014060632.tif 000026
【図２５】
2014060632.tif 000027
【図２６】
2014060632.tif 000028
【図２７】
2014060632.tif 000029
【図２８】
2014060632.tif 000030
【図２９】
2014060632.tif 000031
【図３０】
2014060632.tif 000032